(57)【特許請求の範囲】
【請求項１】
電子番組表によって配布される番組情報を利用してディジタル放送を受信するためのディジタル放送受信装置であって、
外部から入力された前記番組情報の検索条件とこれに対応付けるユーザ情報を含む表示情報とを蓄積する表示情報蓄積手段と、前記ディジタル放送から分離した番組情報を蓄積する番組情報蓄積手段と、前記番組情報の検索条件と前記番組情報蓄積手段に蓄積された番組情報とを比較して条件にマッチする番組情報を抽出する番組検索手段と、その検索結果を表示する手段とを有し、
前記番組情報の検索結果を表示する際に当該番組情報の検索条件に対応付けられて前記表示情報蓄積手段に蓄積された表示情報を表示し、
その表示情報を前記ディジタル放送の映像データに合成して表示するようにしたことを特徴とするディジタル放送受信装置。
【請求項２】
前記ディジタル放送の映像データに合成して表示される前記表示情報の操作時に当該表示情報に対応する番組情報の検索条件にマッチする番組情報を基にチャンネル切替えを行うことを特徴とする請求項４記載のディジタル放送受信装置。
【請求項３】
現在の日付や時刻を通知するタイマと、前記番組情報の検索に使用する時間条件を記憶する時間条件記憶手段とを含み、
前記タイマからの現在の日付や時刻と前記時間条件記憶手段に記憶された時間条件とに応じて前記番組情報の検索を行うようにしたことを特徴とする請求項１または請求項２記載のディジタル放送受信装置。
【請求項４】
電子番組表によって配布される番組情報を利用してディジタル放送を受信するためのディジタル放送受信装置の番組検索表示方法であって、
前記ディジタル放送から分離した番組情報を蓄積する番組情報蓄積手段に蓄積された番組情報と、外部から入力された前記番組情報の検索条件とこれに対応付けるユーザ情報を含む表示情報とを蓄積する表示情報蓄積手段に蓄積された番組情報の検索条件とを比較して条件にマッチする番組情報を抽出するステップと、その検索結果を表示するステップとを有し、
前記番組情報の検索結果を表示する際に当該番組情報の検索条件に対応付けられて前記表示情報蓄積手段に蓄積された表示情報を表示し、
その表示情報を前記ディジタル放送の映像データに合成して表示するようにしたことを特徴とする番組検索表示方法。
【請求項５】
前記ディジタル放送の映像データに合成して表示される前記表示情報の操作時に当該表示情報に対応する番組情報の検索条件にマッチする番組情報を基にチャンネル切替えを行うことを特徴とする請求項４記載の番組検索表示方法。
【請求項６】
現在の日付や時刻を通知するタイマからの現在の日付や時刻と前記番組情報の検索に使用する時間条件を記憶する時間条件記憶手段に記憶された時間条件とに応じて前記番組情報の検索を行うようにしたことを特徴とする請求項４または請求項６記載の番組検索表示方法。
【請求項７】
電子番組表によって配布される番組情報を利用してディジタル放送を受信するためのディジタル放送受信装置の番組検索表示制御プログラムを記録した記録媒体であって、
前記番組検索表示制御プログラムは前記ディジタル放送受信装置に、前記ディジタル放送から分離した番組情報を蓄積する番組情報蓄積手段に蓄積された番組情報と、外部から入力された前記番組情報の検索条件とこれに対応付けるユーザ情報を含む表示情報とを蓄積する表示情報蓄積手段に蓄積された番組情報の検索条件とを比較して条件にマッチする番組情報を抽出させ、その検索結果を表示させるとともに、前記番組情報の検索結果を表示させる際に当該番組情報の検索条件に対応付けられて前記表示情報蓄積手段に蓄積された表示情報を表示させ、その表示情報を前記ディジタル放送の映像データに合成させて表示させることを特徴とする番組検索表示制御プログラムを記録した記録媒体。
【発明の詳細な説明】
【０００１】
【発明の属する技術分野】
本発明はディジタル放送受信装置及びそれに用いる番組検索表示方法並びにその制御プログラムを記録した記録媒体に関し、特にディジタル放送を受信する際に用いられる番組検索等の方法に関する。
【０００２】
【従来の技術】
ディジタル放送では放送番組に関する付加情報として番組の名前やジャンル、放送時間等を含む電子番組表（ＥＰＧ：Ｅｌｅｃｔｒｏｎｉｃ  ＰｒｏｇｒａｍＧｕｉｄｅ）を放送電波に多重化し、受信機で利用可能とする放送サービスが普及しつつある。このＥＰＧを用いれば、多くの番組の中からユーザの所望の番組を敏速に検索することができる。
【０００３】
ユーザの細かな要求を番組検索の条件に反映したい場合には、多項目の入力が必要となり、検索毎の入力が面倒で操作も複雑になることから、ユーザの幅を狭めてしまう可能性がある。これを解決する手段として番組検索の条件を登録し、プリセットボタンの操作やタイマ等による自動処理によって番組検索を行い、選局を行う仕組みが提案されている。
【０００４】
【発明が解決しようとする課題】
上記のような検索条件を登録して検索を実行する方式を用いる場合、ユーザは様々な場面において異なる意図を持って検索を行うことが予想され、またテレビであるが故に複数のユーザに使用されることも考え得るので、複数の検索条件を登録可能とすることが要求される。しかしながら、登録されたすべての検索条件にプリセットボタンを対応付けることは、例えばリモコン等を入力手段に用いる場合、物理的に困難である。
【０００５】
一方、一つのプリセットボタンに複数の検索条件を対応させると、検索実行の結果、複数の番組にマッチした場合に順次選局を行って番組の内容を確認しなければ、どの条件にマッチしたのかが分かりにくい等の問題もある。
【０００６】
また、登録された検索条件によってタイマ処理等で適当なタイミングで自動的に番組検索を行うような形態も考え得るが、検索条件が複数の番組にヒットしたり、視聴中の番組よりも関心の薄い番組にヒットすることもありうるので、いきなり選局を実行することは必ずしも便利とは言えない。
【０００７】
さらに、一旦検索結果を表示してユーザの指示を待つ場合にも、例えば検索された番組名を単純に表示する方法では「どんな条件にヒットしたのか？」、「誰の所望の番組なのか？」等の検索条件を確認したり、一度チャンネルを変えてみないと分かり難くい場合があり、現在の番組の視聴を妨げてしまうという可能性がある。
【０００８】
そこで、本発明の目的は上記の問題点を解消し、簡易な操作によって番組検索を行うことができるディジタル放送受信装置及びそれに用いる番組検索表示方法並びにその制御プログラムを記録した記録媒体を提供することにある。
【０００９】
【課題を解決するための手段】
本発明によるディジタル放送受信装置は、電子番組表によって配布される番組情報を利用してディジタル放送を受信するためのディジタル放送受信装置であって、
外部から入力された前記番組情報の検索条件とこれに対応付けるユーザ情報を含む表示情報とを蓄積する表示情報蓄積手段と、前記ディジタル放送から分離した番組情報を蓄積する番組情報蓄積手段と、前記番組情報の検索条件と前記番組情報蓄積手段に蓄積された番組情報とを比較して条件にマッチする番組情報を抽出する番組検索手段と、その検索結果を表示する手段とを備え、
前記番組情報の検索結果を表示する際に当該番組情報の検索条件に対応付けられて前記表示情報蓄積手段に蓄積された表示情報を表示し、
その表示情報を前記ディジタル放送の映像データに合成して表示するようにしている。
【００１０】
本発明によるディジタル放送受信装置の番組検索表示方法は、電子番組表によって配布される番組情報を利用してディジタル放送を受信するためのディジタル放送受信装置の番組検索表示方法であって、
前記ディジタル放送から分離した番組情報を蓄積する番組情報蓄積手段に蓄積された番組情報と、外部から入力された前記番組情報の検索条件とこれに対応付けるユーザ情報を含む表示情報とを蓄積する表示情報蓄積手段に蓄積された番組情報の検索条件とを比較して条件にマッチする番組情報を抽出するステップと、その検索結果を表示するステップとを備え、
前記番組情報の検索結果を表示する際に当該番組情報の検索条件に対応付けられて前記表示情報蓄積手段に蓄積された表示情報を表示し、
その表示情報を前記ディジタル放送の映像データに合成して表示するようにしている。
【００１１】
本発明によるディジタル放送受信装置の番組検索表示制御プログラムを記録した記録媒体は、電子番組表によって配布される番組情報を利用してディジタル放送を受信するためのディジタル放送受信装置の番組検索表示制御プログラムを記録した記録媒体であって、
前記番組検索表示制御プログラムは前記ディジタル放送受信装置に、前記ディジタル放送から分離した番組情報を蓄積する番組情報蓄積手段に蓄積された番組情報と、外部から入力された前記番組情報の検索条件とこれに対応付けるユーザ情報を含む表示情報とを蓄積する表示情報蓄積手段に蓄積された番組情報の検索条件とを比較して条件にマッチする番組情報を抽出させ、その検索結果を表示させるとともに、前記番組情報の検索結果を表示させる際に当該番組情報の検索条件に対応付けられて前記表示情報蓄積手段に蓄積された表示情報を表示させ、その表示情報を前記ディジタル放送の映像データに合成させて表示させている。
【００１２】
すなわち、本発明のディジタル放送受信装置は、電子番組表（ＥＰＧ：Ｅｌｅｃｔｒｏｎｉｃ  Ｐｒｏｇｒａｍ  Ｇｕｉｄｅ）によって配布される番組情報が利用可能な放送サービスに適用するディジタル放送受信装置に関するものである。
【００１３】
本発明のディジタル放送受信装置は、予め番組検索条件に名前、アイコン等の情報を関連付けて登録し、登録された条件によって番組検索を行って結果を登録時に関連付けた名前、アイコン等を表示して番組の開始等をユーザに知らせ、選局させる機能を有することを特徴とする。
【００１４】
より具体的に、本発明のディジタル放送受信装置は、入力部から番組検索に用いる番組検索条件及び対応付ける名前や説明、アイコンがユーザ操作によって入力された時、入力された番組検索条件をデータ処理部によって適当な内部形式に変換し、対応付けられた名前やアイコンの情報とともに検索条件データベースに格納する（検索条件の登録）。
【００１５】
また、本発明のディジタル放送受信装置では、番組検索を開始すると、上記の検索条件の登録によって登録された検索条件がデータ処理部によって取出され、番組情報管理部を通して番組情報データベースに蓄積／管理される番組情報を用いて番組検索が実行される。
【００１６】
データ処理部は検索条件にマッチした番組が存在すれば、表示情報記憶部に番組情報と検索条件の登録によって登録された名前、説明、アイコンとを関連付けて記憶する。番組検索の終了後、データ処理部は表示情報記憶部に記憶された情報を基に表示情報を作成して合成部に送り、映像との合成処理を行った後、出力部に表示する。ユーザは表示されたアイコン等の情報を見た上で、入力部からの操作によって選局を行ったり、表示を消去して現在の番組を継続して視聴することが可能となる。
【００１７】
これによって、ユーザは検索を実行する毎に検索条件を入力する必要がなくなり、簡易な操作によって番組検索を実行することが可能になる。また、検索結果の表示時には検索条件にユーザが関連付けたアイコンや名前によって「誰の所望の」あるいは「どのような」番組であるかが表示されるので、複数の検索条件が複数のユーザによって登録された環境下でも検索条件の確認やチャンネルの切替え等の操作を行うことなく、視聴の継続や検索された番組への選局等の意思決定が可能になる。
【００１８】
したがって、毎回の番組検索時の入力操作を不用として簡易に利用することが可能となり、かつ複数のユーザが利用し、複数の番組検索が登録されるような環境でも分かり易い表示・操作によって番組視聴を妨げることの少ない番組検索機能を持たせることが可能となる。
【００１９】
【発明の実施の形態】
次に、本発明の実施例について図面を参照して説明する。図１は本発明の一実施例によるディジタル放送受信装置の構成を示すブロック図である。図１において、ディジタル放送受信装置１はチューナ１１と、分離部１２と、デコーダ１３と、合成部１４と、出力部１５と、データ処理部１６と、入力部１７と、番組情報管理部１８と、番組情報ＤＢ（データベース）１９と、検索条件ＤＢ２０と、アイコンＤＢ２１と、表示情報記憶部２２と、表示条件記憶部２３とから構成されている。
【００２０】
チューナ１１はディジタル放送の電波を受信し、ディジタル信号に復調する。分離部１２はチューナ部１１で復調されたディジタル信号を映像、音声、文字・字幕、番組情報等に分離して取出し、個々の情報を各部へ供給する。デコーダ１３は分離部１２から供給される映像、音声、文字・字幕等を所定の提示形態にデコードする。
【００２１】
合成部１４はデコーダ１３でデコードされた映像データとデータ処理部１６から供給される番組情報、検索条件登録フォーム、検索結果等の情報を合成し、出力部１５に供給する。出力部１５は例えばブラウン管やスピーカを備えており、合成部１４から供給される映像情報を表示し、音声情報を再生する。
【００２２】
データ処理部１６はチューナ１１と分離部１２とデコーダ１３と合成部１４とをそれぞれ制御して選局、受信した映像、音声、文字・字幕、各種データを出力部１５で提示させる他、入力部１７と番組情報管理部１８と検索条件ＤＢ２０とアイコンＤＢ２１と表示情報記憶部２２と表示条件記憶部２３とから入力される情報を基に番組検索に関する計算処理を実施する。
【００２３】
データ処理部１６は計算処理のための演算処理装置や一時的に利用される記憶装置の他、所定の計算処理を実行するプログラムを蓄積する記憶装置を具備している。入力部１７は番組検索条件の登録に要する各種情報の入力及び検索時の操作を行う手段を有し、例えばキーボード、マウス、リモコン等である。
【００２４】
番組情報管理部１８は分離部１２から番組情報を入力し、番組情報の新規受信や更新時に合わせて番組情報ＤＢ１９への新たな番組情報の蓄積や更新を実施する。番組情報ＤＢ１９は受信した番組情報を蓄積する。
【００２５】
検索条件ＤＢ２０は入力部１７から入力された番組検索条件とそれに付加する名前、説明、アイコンの種類等の組を複数蓄積し、順次取出すことが可能である。アイコンＤＢ２１は番組検索条件に対応付けることが可能なアイコン（画像情報）を蓄積する。
【００２６】
表示情報記憶部２２は検索の結果、得られた情報やフォーカスの位置、表示の可否等の情報を保持する。検索後に表示されたアイコンへの操作をデータ処理部１６が検知した場合、ここに記憶された情報を用いてフォーカスの移動等の表示変更動作や選局処理等を実施する。
【００２７】
表示条件記憶部２３は登録済みの検索条件のうち、実際に使用する条件を指定する情報や検索結果表示時にアイコンのみ表示、名前を表示等の表示内容を指定する情報を記憶する。これらの情報は入力部１７の操作の結果、データ処理部１６によって操作される。
【００２８】
図２は本発明の一実施例によるディジタル放送受信装置１の登録処理を示すフローチャートであり、図３は本発明の一実施例によるディジタル放送受信装置１の検索処理を示すフローチャートである。これら図１〜図３を参照して本発明の一実施例によるディジタル放送受信装置１の動作について説明する。以下の動作において、データ処理部１６に含まれる記憶装置（図示せず）［ＲＯＭ（リードオンリメモリ）やＩＣ（集積回路）メモリ等の記録媒体も可］には下記の各機能を有するプログラムがロードされ、各機能を実行可能な状態にあるものとする。
【００２９】
アンテナ等の外部機器（図示せず）から入力された放送電波はチューナ１１でディジタル信号に復調され、分離部１２で映像データ、音声データ、番組情報に分離される。番組情報は番組情報管理部１８に送られ、番組情報管理部１８は番組情報を番組情報ＤＢ１９に格納して管理する。
【００３０】
一方、映像データ、音声データはデコーダ１３でデコードが実行された後、合成部１４で必要な合成処理を行ってから出力部１５を通して映像、音声として出力される。ユーザは上記の映像／音声の表示・再生及び番組情報蓄積とは独立して図２に示す手順によって番組検索条件の登録を行う。
【００３１】
番組検索条件の登録ではまず入力部１７の所定の操作によって条件入力を開始する（図２ステップＳ１）。データ処理部１６は入力が開始されたことを検知すると、合成部１４に検索条件入力指示／フォームを送り、出力部１５に表示する（図２ステップＳ２）。
【００３２】
ユーザは表示された入力指示やフォームに指示された通りに入力部１７を操作することによって、検索条件、検索条件の名前、説明、対応付けるアイコン等の入力を行う。検索条件とは、例えば番組のジャンル、出演者等の文字列情報の組合わせである。名前や説明は表示を目的とした文字列情報である。
【００３３】
アイコンは、例えばビットマップ等で表現された画像情報であり、アイコンＤＢ２１に予め記録された情報をデータ処理部１６がリストにして合成部１４を通して出力部１５に表示したものの中から選ぶことも可能である。入力された内容は合成部１４を通して出力部１５に送られて表示されるので、対話的な操作が可能である（図２ステップＳ３）。
【００３４】
ユーザは所定の入力操作によって、登録を途中で中止することも可能である（図２ステップＳ４）。登録処理が中止以外で終了すると、データ処理部１６は登録された条件が妥当であるか否かを検証する（図２ステップＳ５）。登録された検索条件が妥当である場合、データ処理部１６はその検索条件を検索条件ＤＢ２０に登録し、検索条件登録を終了する（図２ステップＳ６，Ｓ７）。
【００３５】
図２に示す手順によって登録された番組検索条件を使用して番組検索を行う際には、図３に示す手順にしたがって行われる。
【００３６】
まず、入力部１７の操作によるユーザの指示によって検索が開始される。これは、例えば検索開始ボタンの押下等の操作である。検索開始が開始されると、データ処理部１６は番組情報管理部１８を通して番組情報ＤＢ１９に蓄積されている番組情報を読込む（図３ステップＳ１１）。
【００３７】
続いて、データ処理部１６は検索条件ＤＢ２０に登録された検索条件があるかどうかを検査し、存在すれば読込む。複数の検索条件が登録されている場合には一つずつ順次取出す（図３ステップＳ１２，Ｓ１３）。
【００３８】
データ処理部１６は読込んだ番組情報と検索条件とのマッチング処理を行って条件にマッチする番組の情報を抽出し、表示情報記憶部２２に格納する。その際、データ処理部１６は表示条件記憶部２３から使用する検索条件の情報を読込んでマッチング処理に使用する（図３ステップＳ１４〜Ｓ１６）。
【００３９】
データ処理部１６は上述したステップＳ１２〜Ｓ１６までの処理を、表示条件記憶部２３に登録された検索条件すべてに対して実行するように繰り返し行う。データ処理部１６はすべての検索条件を評価すると、表示情報記憶部２２に記憶した情報を基に検索条件ＤＢ２０からアイコンや名前の読込みを行って表示する情報を作成する。この時、データ処理部１６は表示条件記憶部２３から表示内容に関する条件を読込んで、例えばアイコンのみ、アイコン及び名前等の条件にしたがった表示情報を作成する（図３ステップＳ１７，Ｓ１９）。
【００４０】
データ処理部１６は作成した表示情報を合成部１４に送り、映像データとの合成処理を行った後、出力部１５を通して表示する（図３ステップＳ１９）。ユーザが表示されたアイコンに対して入力部１７を通した操作を行うと、データ処理部１６は操作されたアイコンを検知し、表示情報記憶部２２に蓄積された関連情報を読込み、チューナ１１への選局制御等を実施し、チャンネル切替えを実行する（図３ステップＳ２０）。
【００４１】
図４は本発明の一実施例による通常の映像表示を示す図であり、図５は本発明の一実施例によるユーザ操作で登録された検索条件による検索が実行されてある条件にマッチした番組が表示される例を示す図であり、図６は本発明の一実施例による表示条件の変更で検索結果としてアイコンのみが表示される例を示す図である。これら図４〜図６を参照して本発明の一実施例における画面表示の遷移例について説明する。ここでは既に複数の検索条件が登録され、検索か評価されるものとする。
【００４２】
図４に示す通常の映像表示から、ユーザ操作によって登録された検索条件による検索が実行されると、図５に示すある条件にマッチした番組が表示される。アイコン選択による選局や検索結果表示ＯＦＦ等の操作を行うと、検索結果は画面から消去され、再び図４に示す映像だけが表示された状態に戻る。ここで、表示条件が変更されると、検索結果として、図６に示すアイコンのみの表示となる。
【００４３】
図５及び図６に示すように、表示情報がユーザが登録したアイコンや名前、説明であれば、通知された番組を所望しているユーザやその重要度等が一目で分かるので、現在の番組の視聴を終了してチャンネルの切替えや、無視して現在の番組の視聴を続ける等の意思決定が、チャンネルの変更や条件の確認等を行わなくても実施可能になる。
【００４４】
このように、事前に検索条件を登録しておくことによって、番組検索時における毎回の条件入力を不要とし、また複数のユーザが複数の条件を登録した場合でも検索結果表示が登録時に対応付けられた名前やアイコンによるものなので、どの検索条件にマッチした番組であるかを一目で知ることができ、煩わしい操作無しで所望の番組を選び、視聴することができる。よって、簡易な操作によって番組検索を行うことができる。
【００４５】
図７は本発明の他の実施例によるディジタル放送受信装置の構成を示すブロック図である。図７において、本発明の他の実施例によるディジタル放送受信装置３はタイマ３２と時間条件記憶部３３とを設けた以外は、図１に示す本発明の一実施例によるディジタル放送受信装置１と同様の構成となっており、同一構成要素には同一符号を付してある。同一構成要素の動作は上述した本発明の一実施例と同様である。
【００４６】
タイマ３２はカレンダ及び時計の機能を持ち、現在の日付や時刻をデータ処理部３１に伝えることができるとともに、予め設定された日付、時刻にデータ処理部３１に通知を行う機能を有している。
【００４７】
時間条件記憶部３３は検索を実施する際に使用する時間条件を記憶する。時間条件とは「何時から何時まで」、「現在放送中のみ」、「５分以内に開始される」等の番組の放送時間に関するものであり、入力部１７からの操作によって入力可能である。
【００４８】
図８は本発明の他の実施例によるディジタル放送受信装置３の検索処理を示すフローチャートである。これら図７及び図８を参照して本発明の他の実施例によるディジタル放送受信装置３の動作について説明する。
【００４９】
タイマ３２からトリガによって検索が開始される。これは定期的なトリガの発生や入力部１７から指定された時刻でのトリガの発生による。検索開始が開始されると、データ処理部３１はタイマ３２から現在時刻を読込む（図８ステップＳ３１）。
【００５０】
続いて、データ処理部３１は番組情報管理部１８を通して番組情報ＤＢ１９に蓄積されている番組情報を読込む（図８ステップＳ３２）。データ処理部３１は検索条件ＤＢ２０に登録された検索条件があるかどうかを検査し、存在すれば読込む。複数の検索条件が登録されている場合には一つずつ順次取出す（図８ステップＳ３３，Ｓ３４）。
【００５１】
データ処理部３１は読込んだ番組情報と検索条件とのマッチング処理を行って、条件にマッチする番組の情報を抽出する。その際、データ処理部３１は表示条件記憶部２３から使用する検索条件の情報を読込んでマッチング処理に使用する（図８ステップＳ３５，Ｓ３６）。
【００５２】
また、データ処理部３１は抽出した番組情報に含まれる開始時間等の時間情報と、読込まれた現在時刻と、時間情報記憶部３３から読込んだ時間条件とによって表示情報の絞り込みを行い、条件を満たすものを表示情報記憶部２２に記憶する（図８ステップＳ３７，Ｓ３８）。データ処理部３１は上述したステップＳ３３〜Ｓ３８までの処理を登録された検索条件すべてに対して実行するよう繰り返し行う。
【００５３】
データ処理部３１はすべての検索条件を評価すると、表示情報記憶部２２に記憶した情報を基に検索条件ＤＢ２０からアイコンや名前の読込みを行って表示する情報を作成する。この時、データ処理部３１は表示条件記憶部２３から表示内容に関する条件を読込んで、例えばアイコンのみ、アイコン及び名前等の条件にしたがった表示情報を作成する（図８ステップＳ３９，Ｓ４０）。
【００５４】
データ処理部３１は作成した表示情報を合成部１４に送り、映像データとの合成処理を行った後、出力部１５を通して表示する（図８ステップＳ４１）。ユーザが表示されたアイコンに対して入力部１７を通した操作を行うと、データ処理部３１は操作されたアイコンを検知し、表示情報記憶部２２に蓄積された関連情報を読込み、チューナ１１への選局制御等を実施し、チャンネル切替えを実行する（図８ステップＳ４２）。
【００５５】
これによって、上記のタイマ３２による定期的あるいは指定時間に発行されるトリガで自動的に検索を開始することができ、またタイマ３２が供給する日付や時刻と番組情報に含まれる番組開始時間等とを使用して検索条件を絞り込むことができる。
【００５６】
【発明の効果】
以上説明したように本発明によれば、電子番組表によって配布される番組情報を利用してディジタル放送を受信するためのディジタル放送受信装置において、ディジタル放送から分離した番組情報を蓄積する番組情報蓄積手段に蓄積された番組情報と外部から入力された番組情報の検索条件とこれに対応付ける表示情報とを蓄積する表示情報蓄積手段に蓄積された番組情報の検索条件とを比較して条件にマッチする番組情報を抽出し、その検索結果を表示する際に番組情報の検索結果を当該番組情報の検索条件に対応付けられた表示情報によって表示することによって、簡易な操作によって番組検索を行うことができるという効果がある。
【図面の簡単な説明】
【図１】本発明の一実施例によるディジタル放送受信装置の構成を示すブロック図である。
【図２】本発明の一実施例によるディジタル放送受信装置の登録処理を示すフローチャートである。
【図３】本発明の一実施例によるディジタル放送受信装置の検索処理を示すフローチャートである。
【図４】本発明の一実施例による通常の映像表示を示す図である。
【図５】本発明の一実施例によるユーザ操作で登録された検索条件による検索が実行されてある条件にマッチした番組が表示される例を示す図である。
【図６】本発明の一実施例による表示条件の変更で検索結果としてアイコンのみが表示される例を示す図である。
【図７】本発明の他の実施例によるディジタル放送受信装置の構成を示すブロック図である。
【図８】本発明の他の実施例によるディジタル放送受信装置の検索処理を示すフローチャートである。
【符号の説明】
１，３  ディジタル放送受信装置
１１  チューナ
１２  分離部
１３  デコーダ
１４  合成部
１５  出力部
１６，３１  データ処理部
１７  入力部
１８  番組情報管理部
１９  番組情報データベース
２０  検索条件データベース
２１  アイコンデータベース
２２  表示情報記憶部
２３  表示条件記憶部
３２  タイマ
３３  時間条件記憶部
【図１】
0003864694.tif 000002
【図２】
0003864694.tif 000003
【図３】
0003864694.tif 000004
【図４】
0003864694.tif 000005
【図５】
0003864694.tif 000006
【図６】
0003864694.tif 000007
【図７】
0003864694.tif 000008
【図８】
0003864694.tif 000009